(57)【特許請求の範囲】
【請求項１】
横長に形成した基板の上面に、横長の基板部と鉢の外側面に当接できる測板部とによりＬ字形と逆Ｌ字形に形成した一対の可動板を、前記基板の軸管を中心に同時に反対方向に摺動しかつ前記基板に固定自在に設けるとともに、可動板の測板部の鉢と当る内側縁と対応する位置に、鉢物の支持板を切り込む切刃を突設し、前記一対の可動板を基板に固定して回転させることにより、鉢物用支持具の鉢の挿入孔を形成することを特徴とする孔明け器。
【請求項２】
請求項１に記載された孔明け器において、
前記軸管内には、下端を尖らせた軸杆が抜き差し自在かつ適宜の上下位置に固定できるように設けられていることを特徴とする孔明け器。
【発明の詳細な説明】
【０００１】
【産業上の利用分野】
本発明は、鉢植えの花、いわゆる鉢物、特に蘭等の鉢物を地方に発送する場合に、その鉢物が倒れないように箱入れするための鉢物支持具の鉢挿入孔の孔明け器に関するものである。
【０００２】
【従来の技術】
購売した鉢物の届けや贈答用の鉢物を届けるために、鉢物の発送が盛んに行われている。このうち、蘭などの高級品種の鉢物を発送する場合には、その鉢物が倒れないようにしてやることが必要である。このような場合、従来は、図８、図９に示すように、鉢物Ｂを入れる箱体Ｃの底部に、鉢９の挿入孔41を設けた台板40を嵌め入れ、挿入孔41に鉢9を挿入して鉢物の転倒を防止するようにしているが、鉢９の形や大きさは千差万別であるため、鉢の挿入孔41には多くの切り込み42を設けておき、鉢の各種大きさに適応できるようにしている。
【０００３】
【発明が解決しようとする課題】
しかし、上記従来の鉢物の固定手段では、鉢９の固定が不十分で、輸送中に鉢９が斜めになり、花が箱体Ｃの内面にすれて花落ちしたりキズが付く等してクレームが多いのが実状である。そのため、鉢の動きを押えるため、挿入孔41と鉢９との間に隙間があれば新聞紙などの詰物を入れることも行われているが、それでも鉢の傾きを防ぐには不十分であるとともに、作業が面倒である、といった問題がある。
【０００４】
本発明は、上記従来の問題点を解決するためになされたもので、鉢物全体を納める箱を斜めにしても、固定が完全にでき、輸送中に花に損傷を与えるおそれのないようにした鉢物の支持具に設ける鉢受孔（挿入孔）の孔明け器を提供しようとするものである。
【０００５】
【課題を解決するための手段】
【０００６】
本発明の鉢物支持具の製作に使用する鉢固定用の孔明け器は、上部支持板及び下部支持板に、それぞれ、収納する鉢物の鉢の上部及び下部に適合した大きさの挿入孔を開設するもので、収納する鉢の上部及び下部の径を測定する機構と、その測定した寸法どおりに、上、下両支持板に挿入孔を形成できるようにした機構とを兼ね備えたものである。
【０００７】
すなわち、請求項１の孔明け器は、横長に形成した基板の上面に、横長の基板部と鉢の外側面に当接できる測板部とによりＬ字形と逆Ｌ字形に形成した一対の可動板を、前記基板の軸管を中心に同時に反対方向に摺動しかつ前記基板に固定自在に設けるとともに、可動板の測板部の鉢と当る内側縁と対応する位置に、鉢物の支持板を切り込む切刃を突設し、前記一対の可動板を基板に固定して回転させることにより、鉢物用支持具の鉢の挿入孔を形成することを特徴とするものである。
【０００８】
また、請求項２の孔明け器は、請求項１に記載された孔明け器において、前記軸管内には、下端を尖らせた軸杆が抜き差し自在かつ適宜の上下位置に固定できるように設けられていることを特徴とするものである。
【０００９】
【発明の実施の形態】
以下、本発明の実施の形態について、図面を参照して説明する。図１〜図３は鉢物支持具を示し、図４〜図７は、本発明孔明け器の一実施態様を示したものである。
【００１０】
図１〜図３において、Ｃは鉢物Ｂの発送に使用される箱体、Ａはその箱体Ｃの底部に設置して使用される鉢物支持具である。鉢物支持具Ａは上部支持板１と下部支持板５とよりなる。
【００１１】
上部支持板１は、箱体Ｃの底部に挿嵌される形状、例えば図示のような平面四角形に形成されており、その各辺縁から所要長さ（高さ）の脚板２が下方に向けて垂設されている。そして、上部支持板１の中央部から一端寄りの個所には、鉢物Ｂの鉢９の上部に外接する挿入孔（大径孔）３が開設されている。また、上部支持板１の各脚板２には、下部支持板５を結合するための上下一対の係合孔８が設けられている。
【００１２】
また、下部支持板５は、上記上部支持板１の脚板２，２内に収まる形状に形成されており、その各辺縁よりは、上部支持板１の係合孔８に挿入する係合舌片６が突設されているとともに、上部支持板１の挿入孔３と上下に対応する位置には、鉢９の下部に外接する挿入孔（小径孔）が開設されている。この下部支持板５は、その係合舌片６を上部支持板１の脚板２の下段の係合孔８に内側から通した後、上段の係合孔８に折り返し通して脚板２，２の内側に取り付けられる。それによって、下部支持板５は上部支持板１内下部に、相当の上下距離を隔てて結合される。
【００１３】
上記の鉢物支持具Ａは、図３に示すように、箱体Ｃの底部に収容される。そして、鉢物Ｂは箱体Ｃ内に入れられ、その鉢９を上部支持板１の挿入孔３に落し込めば、上部は上部支持板１の挿入孔３に、下部は下部支持板５の挿入孔７にそれぞれ密に嵌合して、箱体Ｃ内に上下二重に固定され、箱体Ｃを動かしても鉢物Ｂは傾いたり転倒したりするおそれがなく、したがって、花が箱の内面に当ってずれたり花落ちするのが防がれる。
【００１４】
次に、孔明け器の実施態様について説明する。上記鉢物支持具Ａが、十分にその機能を発揮するためには、各種ある鉢の大きさ（径）に適合した挿入孔３，７を開設することが必要であることから、鉢９の径の測定と、その測定した径の孔の開設とを、単一の器具により行えるようにしている。
【００１５】
図４、図５に示すように、この孔明け器Ｄは基板10と、一対の可動板20，30を備えている。基板10は横長の長方形に形成されており、その中心部には基板10を貫通して、ピニオン12を回転自在に設けた軸管11が直立して固着されている。そして、一側寄りの一端部から中央部にかけては、基板10の長手方向と平行なガイド長孔13が開設され、また、ガイド長孔13の中央部側の端部から、その延長線上を他端部側に所要距離隔てた位置には、後述する一方の測板部22と不分離に係合する係合ピン14が立設されている。また、基板10の他側寄りの他端部と中央部から一端部寄りのところに、後述する他方の測板部32と不分離に係合する係合ピン15，16が、互いにそれらピン15，16を結んだ線がガイド長孔13と平行となるようにして立設されている。
【００１６】
さらに、基板10の巾方向中央部には、他端側から中央部にかけて、後述する切刃36の遊通孔17が、ガイド長孔13と平行して設けられている。また、上記軸管11内には、上、下の支持板１，５に突き込む、下端を尖らせた軸杆18が抜き差し自在に挿通され、止ネジ19により適宜な上下位置に固定できるようになっている。
【００１７】
一方の可動板20は、基板10に載置される長方形の基板部21と、その一端部より直交方向に延長された測板部22とにより平面Ｌ形に形成されている。そして、基板部21には、その長手方向のほぼ全長にわたり、基板10の係合ピン14と係合して摺動可能なガイド長孔23が開設されているとともに、基板部21の外側縁には相当の長さにわたりラック24が設けられている。また、測板部22は、鉢９の外側面と当る内側縁が、上記ガイド長孔23と直交する縁面25に形成されている。
【００１８】
他方の可動板30は、基板10に載置される長方形の基板部31とその一端部より直交方向に延長された測板部32とにより逆Ｌ字形に形成されている。そして、基板部31には、その長手方向のほぼ全長にわたり、基板10の係合ピン15，16と係合して摺動可能なガイド長孔33が開設されているとともに、基板部31の内側縁には相当の長さにわたり上記ラック24と対向するラック34が設けられている。また、測板部32は、その上記可動板20の測板部22と対向する内側縁（鉢９の外側面が当る縁）が、ガイド長孔33と直交し、上記縁面25と平行な縁面35に形成されている。そして、さらに、基板部31と測板部32と交差する内側基部には、縁面35と面一の切刃36が下方に向けて突設されているとともに、切刃36より少し先端寄りの位置には、基板10のガイド長孔13及び一方の可動板20のガイド長孔23を通貫するボルト挿通孔37が開設されている。
【００１９】
図４に示すように、一方の可動板20は、係合ピン14をガイド長孔23に係合するとともに、ラック24をピニオン12と係合して基板上に載置し、他方の可動板30は、係合ピン15，16をガイド長孔33に係合するとともに、ラック34をピニオン12と係合して基板10上に載置し、それぞれ載置後、各係合ピン14，15，16を加工して形成した拡頭部（付号を略す）により、基板10の長手方向に摺動自在かつ不分離に取り付けられる。そして、別途用意したボルト38（図５参照）を基板10の下側から、ガイド長孔13と一方の可動板20のガイド長孔23及び他方の可動板30のボルト挿通孔37に通してナット39を螺合して取り付ける。
【００２０】
ボルト・ナット38，39の締め付けを緩めた状態では、一方の可動板20は、係合ピン14及びボルト38とガイド長孔23との係合で、基板10の長手方向に自在に摺動でき、また、他方の可動板30は、係合ピン15，16とガイド長孔33との係合で、基板10の長手方向に自在に摺動できるようになっている。その状態で両可動板20，30のうちの一方を摺動させれば、ピニオン12とラック24，34との噛合により、両可動板20，30は互いに反対方向に移動し、それらの測板部22，32が軸管11を中心として近接、離反することになる。そして、ナット39を締め付ければ、両可動板20，30は基板10に固定されることになる。
【００２１】
上記構成の孔明け器Ｄの使用方法について説明する。まず、鉢物支持具Ａの上、下両支持板１，５の挿入孔３，７の中心位置を選定して、孔明け器を回動する中心孔47(図７参照)を形成するとともに、挿入孔３，７に当る部分の鉢９の外径を測定し、ついで、両支持板１，５に挿入孔３，７を形成する。中心孔47を形成するには、孔明け器Ｄの軸杆18の下端部を基板10より下方に突出させた状態で固定し、その先端を選定した中心位置に突き刺す。この場合、上下両支持板１，５を重ね合わせて行うか、また、両支持板１，５が組み付けられた状態のときには、軸杆18を図５の実線あるいは図７の鎖線で示すように下方に長く突出するように押し下げてやればよい。
【００２２】
鉢９の外径を測定するには、図６に示すように、孔明け器Ｄのナット39を緩めておいて、可動板20，30を動かし、その測板部22，32の縁面25，35を鉢９の所定高さ位置に当接させた後、ナット39を締め付けて両可動板20，30を基板10に固定する。次に、図7に示すように、孔明け器Ｄをその軸杆18を支持板１（５）の中心孔47に挿入し、下方に突出している切刃36を支持板１（５）に突き込んで、軸杆18を中心にして、図６、図７の矢印のように回動させる。それにより、支持板１（５）には、切刃36の切り込みによって、測定した鉢９の外径と同径の挿入孔３（７）が開設できることになる。
【００２３】
なお、この場合、上部支持板１への挿入孔３の開設作業は、両支持板１，５が組み付けられていても行えるが、下記支持板５の方への挿入孔７の開設作業は、回動する孔明け器Ｄが、上部支持板１の脚板２，２に当るようなときは、下部支持板５を取り外し、または組み付け前において行うようにする。
【００２４】
以上説明したように、上記鉢物の支持具によれば、鉢物を発送する場合に、上、下の両支持板に設けた挿入孔に鉢を嵌め入れることにより、鉢の上部と下部とが挿入孔に密接して固定されるため、鉢物を納めた箱体が輸送中に揺れたり斜めになったりしても、鉢がずれたり傾斜して、花が箱内面にこすれたりして花落ちやキズがつくおそれがなく、安全、確実に届けられることになる。
【００２５】
【発明の効果】
以上説明したように、本発明の孔明け器によれば、鉢物支持具の支持板に鉢の挿入孔を開設するにあたり、挿入する鉢の外径を測ることと挿入孔を開設することとが、単一の器械によって極めて簡易に迅速にかつ正確に行うことができるとともに、各種異なる大きさの鉢の挿入孔の開設にも対応し、広汎に使用することができる。
【図面の簡単な説明】
【図１】鉢物の支持具の斜視図である。
【図２】同支持具の各部材を分離して示した斜視図である。
【図３】同支持具の使用状態を示す縦断面図である。
【図４】本発明の孔明け器の一実施態様を示す斜視図である。
【図５】同孔明け器の各部材を分離して示した斜視図である。
【図６】鉢外径を測定する状態を示した平面図である。
【図７】孔明けに使用する状態を示す側面図である。
【図８】従来の支持具を示す斜視図である。
【図９】同使用状態を示す縦断面図である。
【符号の説明】
Ａ 鉢物支持具
Ｂ 鉢物
Ｃ 箱体
Ｄ 孔明け器
１ 上部支持板
２ 脚板
３ 挿入孔
５ 下部支持板
６ 係合舌片
７ 挿入孔
８ 係合孔
９ 鉢
10 基板
11 軸管
12 ピニオン
13 ガイド長孔
14，15，16 係合ピン
17 遊通孔
18 軸杆
20 可動板
21 基板部
22 測板部
23 ガイド長孔
24 ラック
30 可動板
31 基板部
32 測板部
33 ガイド長孔
34 ラック
36 切刃
37 ボルト挿通孔
38 ボルト
39 ナット
【図１】
0004509306.tif 000002
【図２】
0004509306.tif 000003
【図３】
0004509306.tif 000004
【図４】
0004509306.tif 000005
【図５】
0004509306.tif 000006
【図６】
0004509306.tif 000007
【図７】
0004509306.tif 000008
【図８】
0004509306.tif 000009
【図９】
0004509306.tif 000010